(57)【要約】【課題】簡単に空気流通路を形成して製作費用の低減化を図ることができる壁内通気構造を提供する。【解決手段】内壁材２と、内壁材２の室外を向く面２ａに固定されている木質系セメント板４とを備えている。木質系セメント板４は、内壁材２に面する側に、帯状の凹部８及び凸部１０が板幅方向に交互に形成された部材である。この木質系セメント板４の凸部１０を内壁材２に当接し、釘１２を木質系セメント板４の室外側から内壁材２に向けて打ち付けることで、木質系セメント板４が内壁材２の室外を向く面に固定される。そして、木質系セメント板４の凹部８と内壁材２の室外側を向く面とで囲まれた空間に空気流通路１４が設けられている。【選択図】図２
2007270541.tif 000002
【特許請求の範囲】
【請求項１】
内壁材と、この内壁材の室外を向く面に固定した木質系セメント板との間に空気流通路を設けた壁内通気構造であって、
前記木質系セメント板の前記内壁材に対面する面を、前記内壁材に当接する複数の凸部と、前記内壁材の室外を向く面の間に空間を画成する複数の凹部とを設けた形状とし、前記凹部で画成された前記空間は、前記内壁材の室外側の面に沿って上下方向に延在する空気流通路となっていることを特徴とする壁内通気構造。
【請求項２】
主原料として木毛や木片などの木質原料とセメントペーストとを混ぜ合わせた混合体を板状に圧縮成形してなる複数の木質系セメント板を上下方向に平積みする方法において、
前記木質系セメント板の厚さ方向の一方の面を、複数の凹部及び複数の凸部を設けた形状とし、厚さ方向の他方の面を平坦な面とし、
前記複数の凹部及び複数の凸部を設けた前記一方の面を下面とし、前記平坦な面を設けた前記他方の面を上面として、前記複数の木質系セメント板を上下方向に重ねていくことを特徴とする木質系セメント板の平積み方法。
【発明の詳細な説明】
【技術分野】
【０００１】
本発明は、内壁材と外壁材との間に空気流通路を設けた壁内通気構造と、この壁内通気構造で使用される木質系セメント板の平積み方法に関する。
【背景技術】
【０００２】
内壁材と外壁材との間に空気流通路を設けている壁内通気構造は、空気流通路を空気が通過することで、壁内の湿気を排出して壁内の結露を防止し、日射によって加熱された外壁材の熱を排出して室内の高温状態を防止し、居住性を高めることができる（例えば、特許文献１）。
この壁内通気構造の構造材として、近年、軽量にもかかわらず強靱であり、耐火性に優れた木質系セメント板が使用されている。木質系セメント板は、内壁材の外方を向く面に上下方向、或いは横方向に延在して配置した桟材を介して取付けられており、桟材により内壁材と木質系セメント板との間に画成された隙間を空気流通路としている。
【特許文献１】特開平８−２３９９４５号公報
【発明の開示】
【発明が解決しようとする課題】
【０００３】
しかし、上記の木質系セメント板を使用した壁内通気構造は、内壁材に桟材を取付けなければならないので、多くの手間と時間がかかってしまい、製作費用が高騰してしまうおそれがある。
また、木質系セメント板は、通常、上下に積み上げて平積みにより保存されているが、上下の木質系セメント板の接触部分で空気が滞留しやすく、蒸れや、腐食による劣化によって長期保存が難しい。
本発明は、上記事情に鑑みてなされたものであり、簡単に空気流通路を形成して製作費用の低減化を図ることができる壁内通気構造を提供するとともに、高品質の状態で長期に渡って保存することができる木質系セメント板の平積み方法を提供することを目的とする。
【課題を解決するための手段】
【０００４】
上記課題を解決するため、本発明に係る壁内通気構造は、内壁材と、この内壁材の室外を向く面に固定した木質系セメント板との間に空気流通路を設けた壁内通気構造であって、前記木質系セメント板の前記内壁材に対面する面を、前記内壁材に当接する複数の凸部と、前記内壁材の室外を向く面の間に空間を画成する複数の凹部とを設けた形状とし、前記凹部で画成された前記空間は、前記内壁材の室外側の面に沿って上下方向に延在する空気流通路となっていることを特徴とする壁内通気構造である。
【０００５】
また、本発明の木質系セメント板の平積み方法は、主原料として木毛や木片などの木質原料とセメントペーストとを混ぜ合わせた混合体を板状に圧縮成形してなる複数の木質系セメント板を上下方向に平積みする方法において、前記木質系セメント板の厚さ方向の一方の面を、複数の凹部及び複数の凸部を設けた形状とし、厚さ方向の他方の面を平坦な面とし、前記複数の凹部及び複数の凸部を設けた前記一方の面を下面とし、前記平坦な面を設けた前記他方の面を上面として、前記複数の木質系セメント板を上下方向に重ねていくことを特徴とする木質系セメント板の平積み方法である。
【発明の効果】
【０００６】
本発明に係る壁内通気構造によると、木質系セメント板の凸部を内壁材に当接すると、凹部が内壁材の室外を向く面の間に空間が画成され、この空間が、内壁材の室外側の面に沿って上下方向に延在する空気流通路となって簡単に形成することができるので、製作費用の低減化を図った壁内通気構造を提供することができる。
また、本発明に係る木質系セメント板の平積み方法によると、上下の木質系セメント板の間の通気が良好となるので、上下の木質系セメント板の接触部分が蒸れや、腐食により劣化するおそれがなく、木質系セメント板を高品質のまま長期に渡って保存することができる。
【発明を実施するための最良の形態】
【０００７】
以下、この発明に係る壁内通気構造及び木質セメント板について図面を参照しながら説明する。
先ず、壁内通気構造の１実施形態について説明する。
図１は壁内通気構造の横断面を示すものであり、図２は室外側から壁内通気構造を示したものである。
【０００８】
本実施形態の壁内通気構造は、図１に示すように、内壁材２と、内壁材２の室外を向く面２ａに固定されている木質系セメント板４と、木質系セメント板４の室外を向く面に設けられているモルタル層６とを備えている。
木質系セメント板４は、例えばＪＩＳ  Ａ  ５４０４にも規定されているように、主原料として木毛、木片などの木質原料とセメント（セメントペースト）とを用いて圧縮成形し、混合した後に圧縮成形してなる板材である。この木質系セメント板４は、かさ比重が０．５〜０．６程度の軽さにもかかわらず強靱である。また、耐火性に優れるとともに、断熱性にも優れ、建築材料として使用することで夏は涼しく、冬は温かい室内となる。しかも、外部の騒音を遮断し、室内の反響音も吸収して優れた音響特性を有する。
【０００９】
このような木質系セメント板４は、図１に示すように、内壁材２に面する側に、帯状の凹部８及び凸部１０が板幅方向に交互に形成された部材である。この木質系セメント板４の凸部１０を内壁材２に当接し、釘１２を木質系セメント板４の室外側から内壁材２に向けて打ち付けることで、木質系セメント板４は内壁材２の室外を向く面に固定される。
また、モルタル層６は、釘１２の頭部を覆いながら木質系セメント板４の室外を向く面の全域に所定の厚さｈで設けられている。
そして、木質系セメント板４の凹部８と内壁材２の室外側を向く面とで囲まれた空間に空気流通路１４が設けられている。
【００１０】
図２に示すように、内壁材２の室外を向く面に、複数の木質系セメント板４が上下方向及び水平方向に互いに面一となるように隣接配置されて固定されている。そして、上下に隣接している木質系セメント板４の空気流通路１４が互いに連通しており、この空気流通路１４内に入り込んだ空気が内壁材２に沿って上下方向に流動可能とされている。
このように、空気流通路１４内を空気が通過することで、内壁材２と木質系セメント板４の間の湿気を排出して壁内の結露を防止されるとともに、日射によって加熱されたモルタル層６及び木質系セメント板４の熱を排出して室内の高温状態を防止し、居住性が高められる。
【００１１】
ここで、本実施形態は、木質系セメント板４の凸部１０を内壁材２に当接するだけで、空気流通路１４が設けられるので、内壁材２に桟材を取付ける従来の構造と比較して、手間と時間が殆どかからない。
したがって、簡単に空気流通路１４を形成することができるので、費用の低減化を図った壁内通気構造を提供することができる。
【００１２】
次に、図３は、上記の壁内通気構造で使用する複数の木質系セメント板４を平積みした状態を示すものである。
本実施形態では、凹部８及び凸部１０が交互に形成されている面を下面とし、平坦面４ａを上面として複数の木質系セメント板４を重ねていく。
このように複数の木質系セメント板４を平積みすると、下側の木質系セメント板４の上面（平坦面４ａ）の一部と凸部１０とが接触し、上面の残りの部分と凹部８とが非接触部分となり、非接触部分を通過する空気の流れが良好となる。
したがって、複数の木質系セメント板４を平積みすると、上下の木質系セメント板４の間の通気が良好となるので、上下の木質系セメント板４の接触部分が蒸れたり、腐食により劣化するおそれがなく、木質系セメント板４を高品質のまま長期に渡って保存することができる。
【００１３】
ここで、木質系セメント板の形状は、図１から図３の形状に限らず、例えば図４及び図５に示すように、内壁材２に面する側に、上下方向及び板幅方向に所定間隔をあけて複数の凸部１６を設けた木質系セメント板４としても、壁内通気構造の構造材として使用することで簡単に空気流通路を形成することができるので、費用の低減化を図ることができる。また、突起部１６が設けられている面を下面とし、平坦面４ａを上面として複数の木質系セメント板４を重ねていくことで、高品質のまま長期に渡って保存することができる。
【００１４】
なお、本発明に係る木質系セメント板４は、主原料として木毛や木片などの木質原料を使用するとしたが、未利用材や間伐材を破砕して木質原料とすると、自然環境の破壊防止や省資源を促進することができる。また、木質原料の他に、アンモニアを分解することができるセラミックや脱臭効果がある木炭、調湿効果のあるケイ藻土を混入すると、さらに優れた建築材料となる。さらにまた、家屋等を解体したときに発生する廃材未利用材や森林の間伐材を破砕して木質原料とすると、原料コストの低減化も図ることができる。
また、図１及び図２で示した実施形態は、木質系セメント板４の室外を向く面にモルタル層を設けたが、室外を向く面に防水処理を施し、かさ比重が１．２程度の木質系セメント板を使用してモルタル層を設けない壁内通気構造であっても、上記と同様の効果を奏することができる。
【図面の簡単な説明】
【００１５】
【図１】本発明に係る壁内通気構造の横断面を示す図である。
【図２】本発明に係る壁内通気構造を室外から示した図である。
【図３】本発明に係る木質系セメント板を平積みした状態を示す図である。
【図４】他の形状の木質系セメント板を示す図である。
【図５】図４のＶ−Ｖ線矢視図である。
【符号の説明】
【００１６】
２    内壁材
４    木質系セメント板
６    モルタル層
８    帯状の凹部
１０  帯状の凸部
１２  釘
１４  空気流通路
１６  凸部
【図１】
2007270541.tif 000003
【図２】
2007270541.tif 000004
【図３】
2007270541.tif 000005
【図４】
2007270541.tif 000006
【図５】
2007270541.tif 000007